(57)【要約】【課題】  どのようなセロハンテープ、シールであっても容易に剥離することができるシール剥がし具を開発すること。【解決手段】  シール等剥がし具１は、シール等剥がし具本体部２と、押え部４を両側に設けた切欠き部５にシール等を剥がすための剥がし針６を設けた剥がし部３と、からなり、押え部４の先端下端部は押え部４の先端に向かって傾斜面４ｂに形成し、切欠き部５は内側に向かって傾斜面４ｃを形成し、剥がし針６の先端６ａは押え部４の先端下端部の傾斜面４ｂから下方前方に突出し、かつ、押え部４の先端４ａと同じ位置か少し前方に突出し、かつ、本体部底面と同一面上にあることを特徴としていて、どのようなセロハンテープ、シールであっても容易に剥離することができる。【選択図】    図１
2011177686.tif 000002
【特許請求の範囲】
【請求項１】
シール等剥がし具本体部と、押え部を両側に設けた切欠き部にシール等を剥がすための剥がし針を設けた剥がし部と、からなるシール等剥がし具であって、押え部の先端下端部は押え部の先端に向かって傾斜面に形成し、切欠き部は内側に向かって傾斜面を形成し、剥がし針の先端は押え部の先端下端部の傾斜面から下方前方に突出し、かつ、押え部の先端と同じ位置か少し前方に突出し、かつ、本体部底面と同一面上にあることを特徴とするシール等剥がし具。
【発明の詳細な説明】
【技術分野】
【０００１】
本発明はセロハンテープ、応募シールを含むシール、粘着テープ、ラベル、両面粘着テープの剥離紙(本発明ではこれらを総じてシール等と称する)を針を使用して剥離させるシール等剥がし具に関するものである。
【背景技術】
【０００２】
従来シール等を剥がすにはカッターが使用されていた。しかしカッターでは手を怪我する危険があった。別の方法でカッターを使わずに指先で剥がす方法もあるが、剥がしにくく、面倒で、断面を壊す問題もあった。特に販促商品の応募シールを指先で剥がした場合は指の皮脂が粘着剤面に付着し粘着力を弱め、応募ハガキに応募シールを再貼付した際に浮き易くなるという問題もあった。
【０００３】
そこでシールを剥がし易くするためのものとして例えば特開２００２−２００４６６号公報に記載されているシール剥がし具がある。このシール剥がし具は箱等に貼られたシールを剥がすための剥がし具で木、金属性、プラスチック等で作った柄に薄片（ヘラ）の先端部を有したシール剥離具である。
当剥がし具はカッターのように怪我をする危険性は無く、指先も痛めず、シールを剥がせるが、セロハンテープの、特に薄いセロハンテープを剥がすには剥がし具の薄片（ヘラ）先端部の厚みもあるためヘラの先端をセロハンテープの下に挿入しにくく剥がすには面倒であった。
また当剥がし具はシール等の断面を場合によっては壊したりシール等にカール状に反り返る癖がつくという問題が常にあり、このため応募シールを応募ハガキに再貼付する場合にはシールの壊された部分やカール状の部分が浮き上がり易くなるということで、再貼付用に利用するには不向きであった。
【０００４】
また、特開２００２−１９２８９３号公報に記載されている剥がし具は両面粘着テープの剥離ライナーを剥がすために専用の剥がし具として指輪類に押しピンや短針を固定し、その針で剥離ライナーを引掛けて剥がすことを特徴としている。この短針を使ったこの剥がし具はシール等を剥がせるが、当剥がし具の短針は、指輪の枠があるためシール等への挿入角度が大きくなり、短針先端がシール等が貼られている下地材に引っ掛かったり、突き刺したりして剥がしにくくなることもあり、また短針だけでシール等を剥がすので場合によってはシール等を破ることになり、また短針を露出させて作業するため怪我をする危険性があった。
【先行技術文献】
【特許文献】
【０００５】
【特許文献１】特開２００２―２００４６６号公報
【特許文献２】特開２００２−１９２８９３号公報
【発明の概要】
【発明が解決しようとする課題】
【０００６】
本発明は上記のような課題を解決すべく発明されたものである。
【課題を解決するための手段】
【０００７】
上記の問題を解決するために本発明のシール等剥がし具はシール等剥がし具本体部と押え部を両側に設けた切欠き部にシール等を剥がすための剥がし針を設けた剥がし部と、からなるシール等剥がし具であって、押え部の先端下端部は押え部の先端に向かって傾斜面
に形成し、切欠き部は内側に向かって傾斜面を形成し、剥がし針の先端が押え部の先端下端部は傾斜面から下方前方に突出し、かつ押え部の先端と同じ位置か少し前方に突出し、かつ、本体部底面と同一面上にあることを特徴とする。
【０００８】
本発明のシール等剥がし具は押え部を両側に設けた切欠き部に剥がし針を設け、押え部の先端下端部は押え部の先端に向かって傾斜面に形成し、剥がし針の先端は押え部の先端下端部の傾斜面から下方前方に突出し、かつ、押え部の先端と同じ位置か少し前方に突出し、かつ、本体部底面と同一面上にあることを構成しているため、剥がし針をシール等の下に挿入した時、押え部先端下端部に設けた傾斜面までシール等を逃がすことができるので、剥がし針をシール等の下にスムースに挿入できる。
また切欠き部を内側に向かって傾斜面を形成したことにより、シール等の下に剥がし針を押し込んでいく時にはシール等が内側の傾斜面まで逃がすことができるので、剥がし針の動きを阻害すること無く、シール等の一部を浮かすことができ、指の掴み代を形成できる。
【発明の効果】
【０００９】
本発明のシール等剥がし具は挿入した時や押し込んでいく時にスムースに挿入でき、シール等を浮かすことができるので、浮かした部分を指で摘んでシール等を剥がせばシール等の全部を壊さずに剥がすことができる。セロハンテープのような厚みの薄いテープ他、どのようなものでも簡単にきれいに剥がせる。
【００１０】
また針を使用することでシールのカール状に反り返る癖がつかないためきれいに応募ハガキに再貼付でき、かつシールが従来より剥がれにくくなる効果がある。
【００１１】
またシーを応募ハガキに再貼付した後、指でシールを摘んでいたその指をシールより離す際、シールの粘着剤部分と摘む指との間に剥がし針が間にあり隙間をつくるため、指との粘着剤接触部分が小さくなり、指は従来感じる粘着剤の不快感も少なくスムースに離せる。
【００１２】
剥がし針の先端は押え部の先端下端部の傾斜面から下方前方に突出し、かつ、押え部の先端と同じ位置か少し前方に突出し、かつ、本体部底面と同一面上にあるので針の突出度は極めて小さいため針が皮膚に軽く当たっても怪我はなく、高齢者、子供でも扱える。
【図面の簡単な説明】
【００１３】
【図１】本発明のシール剥がし具の外観図である。
【図２】本発明のシール剥がし具の剥がし部拡大平面図である。
【図３】本発明のシール剥がし具の剥がし部先端部分拡大側面図である。
【図４】本発明のシール剥がし具の正面図イメージ図である。
【図５】本発明のシール剥がし具の剥がし針をシール下に挿入し、シールが針の上に乗った側面図である。
【図６】本発明のシール剥がし具の剥がし針をシール下に挿入し、シールが針の上に乗った正面イメージ図である。
【図７】本発明のシール剥がし具をシール下に挿入後摘んで起こした状態の外観図である。
【図８】本発明のシール剥がし具の剥がし針の先端を鏃型にした平面図である。
【図９】本発明のシール剥がし具でシールを剥がした外観図である。
【図１０】別実施例のシール剥がし具を薄い素材で一体形成した外観図である。
【図１１】別実施例のシール剥がし具の掴み具部分をプルトップ型ビール缶、清涼飲料缶タブの下に挿入した外観図である。
【発明を実施するための形態】
【００１４】
以下本発明のシール剥がし具について図１〜図９を用いて説明する。
【００１５】
図１に示しているように本発明のシール剥がし具１は本体部２と、剥がし部３とからなり、剥がし部３は図２に示すように押え部４を両側に設けた切欠き部５にシール等を剥がすための剥がし針６を設けた構成である。本体部のその一端にフック掛け用の小孔８を設けている。
【００１６】
シール等剥がし具１の本体部２は直方体、楕円形他任意の形でゴム、樹脂他適宜素材にて形成され、図１に図示しているように剥がし部３は先端にいくに従って薄くし可撓性を持たせ、切欠き部５は図２に示している奥行きL１は約１ｃｍ、内幅Ｌ２は約５ｍｍに形成している。また図３に示している剥がし部３先端の厚みＬ３は２ｍｍに形成している。切欠き部の奥行きＬ１は１ｃｍ〜１．５ｃｍ、内幅Ｌ２は５ｍｍ〜６ｍｍ、剥がし部３先端の厚みＬ３は２ｍｍ〜３ｍｍに形成すれば特に問題はない。
【００１７】
図３に示すように剥がし針６をシールが貼られている下地材面に沿わせ易くし、押え部４の先端部４ａが剥がし針６の挿入を阻害しないよう押え部４の先端下端部を押え部４の先端に向かって傾斜面４ｂは直線状に形成し、その角度αは４５度に形成し、また図４に示すように切欠き部５を内側に向かって傾斜面４ｃは直線状に形成し、その角度γは４５度に形成している。傾斜面４ｂの角度α、４ｃの角度γの角度は４５度〜６０度間であれば特に問題はない。また傾斜面４ｂ、４ｃは直線状ではなくＲ状に形成してもよい。
【００１８】
図２に示すように剥がし部３の剥がし針６は金属性の先端が尖がっていて使用時に変形しない直線針であり、図３に示すようにその先端６ａが押さえ部４先端下端部４ｂの傾斜面から下方前方に突出し、かつ、押さえ部先端４ａと同じ位置か少し前方に突出させ、かつ本体部底面と同一面上にある構成である。なお、剥がし針６は剥がし針をシール７の剥がしやすい位置まで挿入しないうちに、シール７を貫通したりして剥がしにくくなることもあるので、図８のように剥がし針の先端部を△形の鏃型にすれば、シール７下に挿入してもシール７を貫通することを軽減、剥がし易くなる。
また、剥がし針と本体部底辺に対する角度βは１０度としている、ただ、角度βは１０度より小さくするほどシール下部に挿入させ易い。
【００１９】
次に、シール剥がし具の使い方を説明する。
図５に示すように可撓性を持たせた押え部４の先端を少し押え気味にし、押え部４先端下端部４ｂより下方に突出している剥がし針６をシールが貼られている下地材面に沿わせ、シール下に挿入させるが、その際、先端下端部４ｂが傾斜しているため剥がし針はシール断面に阻害されずスムースに挿入できる。剥がし針のシール７への挿入する位置はシール７の中ほどよりもコーナー辺りより挿入するほうがシール７の粘着力の抵抗が弱くシール７のコーナーを浮かせ易い。さらに突き進んでいくと、図６に示すように押え部内側下端部４ｃも傾斜面にしているため、シール７はスムースに剥がし針６の上に乗る。図７に示すように指での掴み代ができる位置まで挿入し、本体部先端４ａを梃子とし、本体部２を起こす際、両側押え部４はシール７を押える働きをすることで剥がし針と押さえ部４とに挟まれたシール７が浮き、指での摘み代が形成される。本体部２を起こした状態で、本体部２とシール７を指で摘んだままで剥がすと図９のようになる。応募ハガキに再貼付するときは摘んだままの状態で貼付先の位置に貼付する。そしてシール７より本体部２を離す。シールの粘着剤部分と摘む指との間に剥がし針が間にあり隙間をつくるため、指との粘着剤接触部分が小さく、従来の指だけで摘んで剥がす時より本体部２はシール７よりスムースに離せる。
【００２０】
従って、市販商品に販売促進用のため貼られているシール７を剥離後応募ハガキへ
再貼付をスムースに行え、かつ、シール７は再貼付時、指との粘着剤接触部分が小さいため粘着力の低下を防げ、剥がれにくい効果も得られる。
【００２１】
図１０は本発明の別の実施例の剥がし具１１であって、本体部１２と剥がし部１３を薄い金属または樹脂で一体形成して、製造工程を簡便にしたものである。本体部の針部分１６は鋭角の二等辺三角形または同三角形の先端を鋭角に近い小さなアール状とし、シール等下にスムースに挿入できるように三角部分の途中より先端にいくほど厚みが薄くなるように形成している。押え部先端下端部１４ｂは傾斜状に形成し、かつ、切欠き部は内側に向かって傾斜面１４ｃを形成している。本体部は薄いため本体部を掴めるよう他端に傾斜面の掴み部分１７及びフック掛け用小孔１８を設けている。二等辺三角形の表面にエンボス加工をすると、よりシール７と本体部２を分離し易くなる。
また、掴み部分１７はプルトップ型ビール缶、清涼飲料缶１９の開口に利用することにもできる。方法は図１１に示すようにプルトップタブ２０の下に掴み部分１７の谷折り面を上にして挿入し本体部１２を押し下げると、梃子の原理でプルトップタブ２０が押し上がって指かかり部ができ、同部を指でさらに引き起こすことで開口ができる。薄型剥がし具１１一つでシール剥がし及びプルトップ型缶開口に利用でき、かつ本体面１２は広告にも利用できる。
【００２２】
本発明のシール等剥がし具は例えばペーパーナイフやステップラー、缶切りに組み込んで使用することもできる。
【符号の説明】
【００２３】
１    シール等剥がし具
２    本体部
３    剥がし部
４    押え部
４ａ  押え部先端部
４ｂ  押え部先端下端部傾斜面
４ｃ  押え部内側下端部傾斜面
５    切欠き部
６    剥がし針
６ａ  剥がし針先端
７    シール
８    小孔
１１    薄板剥がし具
１２    本体部
１３    剥がし部
１４    押え部
１４ａ  押え部先端部
１４ｂ  押え部先端下端部傾斜面
１４ｃ  押え部内側下端部傾斜面
１５    切欠き部
１６    二等辺三角形剥がし部
１７    本体掴み部
１８    小孔
１９    ビール缶、清涼飲料缶
２０    プルトップタブ
【図１】
2011177686.tif 000003
【図２】
2011177686.tif 000004
【図３】
2011177686.tif 000005
【図４】
2011177686.tif 000006
【図５】
2011177686.tif 000007
【図６】
2011177686.tif 000008
【図７】
2011177686.tif 000009
【図８】
2011177686.tif 000010
【図９】
2011177686.tif 000011
【図１０】
2011177686.tif 000012
【図１１】
2011177686.tif 000013
【手続補正書】
【提出日】平成22年7月29日(2010.7.29)
【手続補正１】
【補正対象書類名】特許請求の範囲
【補正対象項目名】請求項１
【補正方法】変更
【補正の内容】
【請求項１】
シール等剥がし具本体部と、押え部を両側に設けた切欠き部にシール等を剥がすための剥がし針を設けた剥がし部と、からなるシール等剥がし具であって、押え部の先端下端部は押え部の先端に向かって傾斜面に形成し、切欠き部は内側に向かって上昇する傾斜面を形成し、剥がし針の先端は押え部の先端下端部の傾斜面から下方前方に突出し、かつ、押え部の先端と同じ位置か少し前方に突出し、かつ、本体部底面と同一面上にあることを特徴とするシール等剥がし具。
【手続補正２】
【補正対象書類名】明細書
【補正対象項目名】０００７
【補正方法】変更
【補正の内容】
【０００７】  上記の問題を解決するために本発明のシール等剥がし具はシール等剥がし具本体部と押え部を両側に設けた切欠き部にシール等を剥がすための剥がし針を設けた剥がし部と、からなるシール等剥がし具であって、押え部の先端下端部は押え部の先端に向かって傾斜面に形成し、切欠き部は内側に向かって上昇する傾斜面を形成し、剥がし針の先端が押え部の先端下端部は傾斜面から下方前方に突出し、かつ押え部の先端と同じ位置か少し前方に突出し、かつ、本体部底面と同一面上にあることを特徴とする。
【手続補正３】
【補正対象書類名】明細書
【補正対象項目名】０００８
【補正方法】変更
【補正の内容】
【０００８】  本発明のシール等剥がし具は押え部を両側に設けた切欠き部に剥がし針を設け、押え部の先端下端部は押え部の先端に向かって傾斜面に形成し、剥がし針の先端は押え部の先端下端部の傾斜面から下方前方に突出し、かつ、押え部の先端と同じ位置か少し前方に突出し、かつ、本体部底面と同一面上にあることを構成しているため、剥がし針をシール等の下に挿入した時、押え部先端下端部に設けた傾斜面までシール等を逃がすことができるので、剥がし針をシール等の下にスムースに挿入できる。
また切欠き部を内側に向かって上昇する傾斜面を形成したことにより、シール等の下に剥がし針を押し込んでいく時にはシール等が内側の傾斜面まで逃すことができるので、剥がし針の動きを阻害すること無く、シール等の一部を浮かすことができ、指の掴み代を形成できる。
【手続補正４】
【補正対象書類名】明細書
【補正対象項目名】００１７
【補正方法】変更
【補正の内容】
【００１７】  図３に示すように剥がし針６をシールが貼られている下地材面に沿わせ易くし、押え部４の先端部４ａが剥がし針６の挿入を阻害しないよう押え部４の先端下端部を押え部４の先端に向かって傾斜面４ｂは直線状に形成し、その角度αは４５度に形成し、また図４に示すように切欠き部５を内側に向かって上昇する傾斜面４ｃは直線状に形成し、その角度γは４５度に形成している。傾斜面４ｂの角度α、４ｃの角度γの角度は４５度〜６０度間であれば特に問題はない。また傾斜面４ｂ、４ｃは直線状ではなくＲ状に形成してもよい。
【手続補正５】
【補正対象書類名】明細書
【補正対象項目名】００１９
【補正方法】変更
【補正の内容】
【００１９】  次に、シール剥がし具の使い方を説明する。
図５に示すように可撓性を持たせた押え部４の先端を少し押え気味にし、押え部４先端下端部４ｂより下方に突出している剥がし針６をシールが貼られている下地材面に沿わせ、シール下に挿入させるが、その際、先端下端部４ｂが傾斜しているため剥がし針はシール断面に阻害されずスムースに挿入できる。剥がし針のシール７への挿入する位置はシール７の中ほどよりもコーナー辺りより挿入するほうがシール７の粘着力の抵抗が弱くシール７のコーナーを浮かせ易い。さらに突き進んでいくと、図６に示すように切欠き部内側下端部４ｃも内側に向かって上昇する傾斜面にしているため、シール７はスムースに剥がし針６の上に乗る。図７に示すように指での掴み代ができる位置まで挿入し、本体部先端４ａを梃子とし、本体部２を起こす際、両側押え部４はシール７を押える働きをすることで剥がし針と押さえ部４とに挟まれたシール７が浮き、指での摘み代が形成される。本体部２を起こした状態で、本体部２とシール７を指で摘んだままで剥がすと図９のようになる。応募ハガキに再貼付するときは摘んだままの状態で貼付先の位置に貼付する。そしてシール７より本体部２を離す。シールの粘着剤部分と摘む指との間に剥がし針が間にあり隙間をつくるため、指との粘着剤接触部分が小さく、従来の指だけで摘んで剥がす時より本体部２はシール７よりスムースに離せる。
【手続補正６】
【補正対象書類名】明細書
【補正対象項目名】００２１
【補正方法】変更
【補正の内容】
【００２１】  図１０は本発明の別の実施例の剥がし具１１であって、本体部１２と剥がし部１３を薄い金属または樹脂で一体形成して、製造工程を簡便にしたものである。本体部の針部分１６は鋭角の二等辺三角形または同三角形の先端を鋭角に近い小さなアール状とし、シール等下にスムースに挿入できるように三角部分の途中より先端にいくほど厚みが薄くなるように形成している。押え部先端下端部１４ｂは傾斜状に形成し、かつ、切欠き部は内側に向かって上昇する傾斜面１４ｃを形成している。本体部は薄いため本体部を掴めるよう他端に傾斜面の掴み部分１７及びフック掛け用小孔１８を設けている。二等辺三角形の表面にエンボス加工をすると、よりシール７と本体部２を分離し易くなる。また、掴み部分１７はプルトップ型ビール缶、清涼飲料缶１９の開口に利用することにもできる。方法は図１１に示すようにプルトップタブ２０の下に掴み部分１７の谷折り面を上にして挿入し本体部１２を押し下げると、梃子の原理でプルトップタブ２０が押し上がって指かかり部ができ、同部を指でさらに引き起こすことで開口ができる。薄型剥がし具１１一つでシール剥がし及びプルトップ型缶開口に利用でき、かつ本体面１２は広告にも利用できる。